(57)【要約】【課題】ファイル削除についてのユーザの誤操作があった場合でも、容易にファイルを復元することができるようにする。【解決手段】複数の異なる規格形式の外部記憶媒体１６１〜１６３を同時に装着可能で、これら外部記憶媒体に記憶されたファイルを削除可能なプリンタ装置において、前記外部記憶媒体それぞれの規格形式に対応した内部記憶領域を内部記憶装置１０８に設け、前記外部記憶媒体における任意のファイルが削除指定された際に、この外部記憶媒体の規格形式に対応した前記内部記憶領域に前記ファイルを複写し、その後、前記ファイルを削除するようにする。そして複写したファイルを、必要に応じて外部記憶媒体に復元するようにする。【選択図】  図１
2010089362.tif 000002
【特許請求の範囲】
【請求項１】
複数の異なる規格形式の外部記憶媒体を同時に装着可能で、これら外部記憶媒体に記憶されたファイルを削除可能な情報処理装置であって、
前記外部記憶媒体それぞれの規格形式に対応した内部記憶領域を有し、
前記外部記憶媒体における任意のファイルが削除指定された際に、この外部記憶媒体の規格形式に対応した前記内部記憶領域に前記ファイルを複写し、その後、前記ファイルを削除することを特徴とする情報処理装置。
【請求項２】
当該情報処理装置が前記外部記憶媒体をマウントした際、前記内部記憶領域のうち、このマウントした外部記憶媒体の規格形式に対応した前記内部記憶領域における前記複写されたファイルを参照可能となるようにしたことを特徴とする請求項１に記載の情報処理装置。
【請求項３】
前記内部記憶領域の前記複写されたファイルが参照され編集された際に、該内部記憶領域に対応した外部記憶媒体に当該ファイルを復元し、その後、該内部記憶領域から削除することを特徴とする請求項２に記載の情報処理装置。
【請求項４】
前記情報処理装置はプリンタ装置であり、
前記内部記憶領域の前記複写されたファイルが参照され印刷対象とされたとき、該内部記憶領域に対応した外部記憶媒体に当該ファイルを復元し、その後、該内部記憶領域から削除することを特徴とする請求項２に記載の情報処理装置。
【請求項５】
前記情報処理装置はプリンタ装置であり、
前記内部記憶領域の前記複写されたファイルが参照され一定枚数以上の印刷対象とされたとき、該内部記憶領域に対応した外部記憶媒体に当該ファイルを復元し、その後、該内部記憶領域から削除することを特徴とする請求項２に記載の情報処理装置。
【請求項６】
前記外部記憶媒体における任意のファイルが削除指定された際に、当該外部記憶媒体の規格形式に対応した前記内部記憶領域に前記ファイルを圧縮して複写することを特徴とする請求項１に記載の情報処理装置。
【請求項７】
複数の異なる規格形式の外部記憶媒体を同時に装着可能で、これら外部記憶媒体に記憶されたファイルを削除可能な情報処理装置であり、前記外部記憶媒体それぞれの規格形式に対応した内部記憶領域を有する情報処理装置による情報処理方法であって、
前記外部記憶媒体における任意のファイルが削除指定された際に、当該外部記憶媒体の規格形式に対応した前記内部記憶領域に前記ファイルを複写し、その後、前記ファイルを削除するようにしたことを特徴とする情報処理方法。
【請求項８】
複数の異なる規格形式の外部記憶媒体を同時に装着可能で、これら外部記憶媒体に記憶されたファイルを削除可能な情報処理装置であり、前記外部記憶媒体それぞれの規格形式に対応した内部記憶領域を有する情報処理装置による情報処理をコンピュータに実行させるためのプログラムであって、
前記外部記憶媒体における任意のファイルが削除指定された際に、当該外部記憶媒体の規格形式に対応した前記内部記憶領域に前記ファイルを複写し、その後、前記ファイルを削除するステップをコンピュータに実行させるためのプログラム。
【発明の詳細な説明】
【技術分野】
【０００１】
本発明は、情報処理装置、方法及びプログラムに関し、より詳しくは異なった規格の外部記憶媒体を複数サポートするプリンタ装置等の情報処理装置において用いられる、情報の削除、復元についての技術に関する。
【背景技術】
【０００２】
カメラ付携帯電話やデジタルカメラの普及により、ＳＤ（Secure Digital）カード、ＣＦ（Compact Flash（登録商標））カード、メモリースティックなどの小型の記憶媒体に画像データを保存する機会が多くなった。また、その記憶媒体の容量は年々増加している。
【０００３】
以前は、これらの記憶媒体は一時的なデータ保管手段として用いられていたが、容量の増加に伴い記憶媒体をマスターストレージ的に運用するユーザも増えてきた。これは、以前であれば、より記憶容量の大きいパーソナルコンピュータなどに必要な画像データを保管することが一般的な運用であったものが、ユーザ層が非コンピュータユーザにも普及してきた状況も影響している。
【０００４】
一方、カメラ付携帯電話やデジタルカメラにおいては、その発売時期やメーカの意図により、上記したような様々な記憶媒体が利用されてきた。したがって、これらの画像を印刷するプリンタ装置においては、これらの複数の異なった規格の記憶媒体をサポートする必要が生じ、対応するよう製造されてきた。さらに、現在の多くのプリンタ装置は、本体に高画素の液晶表示装置を備えたものが多く、ユーザが液晶表示装置を用いて、記憶媒体内の画像を参照することができ、また必要に応じ、その画像を削除することも可能な製品もある。
【０００５】
ところで、コンピュータ利用経験の少ないユーザは、ファイルの概念などについての認識があいまいである場合がある。このような場合を鑑みて、多くのカメラ付携帯電話やデジタルカメラでは、画像ファイルの取り扱い、特にファイルの削除に関して、ユーザに何らかの確認動作を経て実施するのが一般的であった。これに伴い、プリンタ装置においても、ファイルの削除の際は、ユーザに何らかの確認を明示してから削除することを採用している。
【０００６】
【特許文献１】特開２００７−３６５８２号公報
【特許文献２】特開２００５−３１１４９３号公報
【発明の開示】
【発明が解決しようとする課題】
【０００７】
しかしながら、上記したように複数の異なった規格形式の記憶媒体をサポートするプリンタ装置においては、明確な削除意図をもった削除指定であっても、複数の記憶媒体が混在することに起因して、現在対象となっている記憶媒体を誤認識する可能性があった。
【０００８】
また、ファイルの概念についての認識があいまいであるユーザに対しては、削除の際の一般的な確認方法では意味をなさないことも考えられる。
【０００９】
さらに、上記したように複数の異なった記憶媒体を同時に装着することが可能なプリンタ装置においては、ユーザの認識と処理対象となっている記憶媒体とのあいだで提供するユーザインタフェースだけでは対処できない不整合が生じる可能性があった。
このような状況においては、ユーザは意図せずに有用なファイルを削除してしまうおそれがある。
【００１０】
これに対処するために、削除時の確認動作を厳重にすることが考えられる。しかし、これは操作感の低下を招く可能性がある。また、特許文献１では、削除指定された画像を、特定の場所に退避することや、特許文献２では、他の記憶媒体への削除画像のコピーについての記載がある。しかし、いずれの場合も退避画像の復元や削除に一定のユーザ操作を伴うため、操作感についての問題があった。
【００１１】
本発明は係る実情に鑑みてなされたものであり、ファイル削除についてのユーザの誤操作があった場合でも、容易にファイルを復元することができる情報処理装置等の提供を目的とする。
【課題を解決するための手段】
【００１２】
本発明の情報処理装置は、複数の異なる規格形式の外部記憶媒体を同時に装着可能で、これら外部記憶媒体に記憶されたファイルを削除可能な情報処理装置であって、前記外部記憶媒体それぞれの規格形式に対応した内部記憶領域を有し、前記外部記憶媒体における任意のファイルが削除指定された際に、この外部記憶媒体の規格形式に対応した前記内部記憶領域に前記ファイルを複写し、その後、前記ファイルを削除することを特徴とする。
また、本発明の情報処理方法は、複数の異なる規格形式の外部記憶媒体を同時に装着可能で、これら外部記憶媒体に記憶されたファイルを削除可能な情報処理装置であり、前記外部記憶媒体それぞれの規格形式に対応した内部記憶領域を有する情報処理装置による情報処理方法であって、前記外部記憶媒体における任意のファイルが削除指定された際に、当該外部記憶媒体の規格形式に対応した前記内部記憶領域に前記ファイルを複写し、その後、前記ファイルを削除するようにしたことを特徴とする。
また、本発明のプログラムは、複数の異なる規格形式の外部記憶媒体を同時に装着可能で、これら外部記憶媒体に記憶されたファイルを削除可能な情報処理装置であり、前記外部記憶媒体それぞれの規格形式に対応した内部記憶領域を有する情報処理装置による情報処理をコンピュータに実行させるためのプログラムであって、前記外部記憶媒体における任意のファイルが削除指定された際に、当該外部記憶媒体の規格形式に対応した前記内部記憶領域に前記ファイルを複写し、その後、前記ファイルを削除するステップをコンピュータに実行させるためのプログラムである。
【発明の効果】
【００１３】
本発明によれば、ファイル削除についてのユーザの誤操作があった場合でも、容易にファイルを復元することができ、有用なファイルを保護できる。
【発明を実施するための最良の形態】
【００１４】
以下、図面を参照して本発明の実施の形態に係るプリンタ装置を説明する。図１は、本発明の実施の形態に係るプリンタ装置のシステム構成図である。
【００１５】
図１において、１０１は入力部材制御部であり、利用者からの操作を受け付ける一連の操作部材からの入力制御を行う。入力部材制御部１０１は、操作部材としての、電源ボタン、印刷ボタン、スタンプ編集ボタン、画像送りボタン、印刷枚数選択ボタンなどを含んで構成される。
【００１６】
１０２はＣＰＵであり、画像データの読み出し、表示、印刷データへの展開と印刷制御シーケンスの実行などをはじめ、システム全体の制御を行うシステムプログラムの実行を行う。
【００１７】
１０３は主記憶装置であり、ＣＰＵ１０２で実行されるシステムプログラムの作業領域、表示装置１０４に表示するイメージデータのＶＲＡＭ領域、印画データの展開領域、内部記憶装置１０８や外部記憶媒体制御部１０６の入出力バッファなどに用いられる。
【００１８】
１０４は表示装置であり、内部記憶装置１０８や外部記憶媒体制御部１０６から読み込んだ画像データの表示、さらにユーザ操作により選択された画像データの編集操作や、本体の設定などのためのユーザインタフェースの提供を行う。
【００１９】
１０５は印刷制御部であり、印画ヘッドや用紙搬送機などを含み、ＣＰＵ１０２からの制御により、印画動作と用紙搬送を行う。
【００２０】
１０６は外部記憶媒体制御部であり、携帯電話、デジタルカメラなどで作成された画像データを印画可能とするために、ＳＤカード１６１、メモリースティック１６２、ＣＦカード１６３のそれぞれの規格形式をサポートし、これらを装着可能に構成される。外部記憶媒体制御部１０６は具体的には、上記の外部記憶媒体のスロットや入出力制御回路などを含んで構成される。
【００２１】
１０７は内部記憶装置（フラッシュメモリ）であり、ＣＰＵ１０２で実行されるシステムプログラム、ユーザインタフェースで用いられる文字フォントなどのリソースデータなどがインストールされている。
【００２２】
１０８はＮＡＮＤ形式の内部記憶装置であり、印刷画像を修飾するスタンプなどの各種データが保存されているほか、後述する削除ファイル退避バッファの領域としても利用される。
【００２３】
次に、図２は、本実施の形態に係るプリンタ装置の操作パネルを示す図である。
図２において、２０１は操作パネルを示す。２０２は電源のＯＮ／ＯＦＦを切り替える電源ボタンである。２０３、２０７は印刷枚数設定ボタンであり、２０３は印刷枚数設定を増加させ、２０７は印刷枚数設定を減少させる場合に用いられる。
【００２４】
２０４は印刷実行の指示をするためのプリントボタンである。２０５は表示された画像を画像送りするための画像送りボタンであり、２０６は表示された画像を画像戻しするための画像戻しボタンである。２０８は表示された画像にスタンプ画像の重ね合わせを設定するＳＴＡＭＰボタンである。
【００２５】
２０９は画像などを表示するための液晶表示装置である。２１０は液晶表示装置２０９に表示された画像を消去するためのＤＥＬＥＴＥボタンであり、本実施の形態に係るプリンタ装置は、ＤＥＬＥＴＥボタン２１０の操作に基づき、外部記憶媒体における画像データなどのファイルを任意に削除可能に構成されている。
【００２６】
以下、図１および図２を参照しつつ、本発明の実施の形態に係るプリンタ装置の各部の詳細およびシステムプログラムの動作について、ユーザが印刷対象を決定し、印刷を指示するまでの流れに従い説明する。
【００２７】
＜画像データの表示について＞
ユーザはまず、電源ボタン２０２を押下しシステムの起動をする。この場合、入力部材制御部１０１がＣＰＵ１０２に対して起動の指示があったことを通知する。ＣＰＵ１０２は、内部記憶装置（フラッシュメモリ）１０７内のシステムプログラムを逐次実行し、一連のシステムの初期化を行う。その後、システムプログラムは外部記憶媒体制御部１０６を通じ、現在装着されている外部記憶媒体の中から、ＳＤカード１６１、メモリースティック１６２、ＣＦカード１６３の優先順位で最優先の外部記憶媒体のみをマウントする。なお、ここでマウントは電気的な接続を意味するものとする。
【００２８】
外部記憶媒体のマウント後、システムプログラムは、マウントされた外部記憶媒体内のファイルの走査を行い、画像データと認識されるデータを発見すると、外部記憶媒体制御部１０６を通じ読み出された画像データを主記憶装置１０３上に展開する。さらに表示用の画像データに変換の後、主記憶装置１０３上に配置された表示用ＶＲＡＭ上に展開し、液晶表示装置２０９に対し画像の表示を行う。
【００２９】
＜画像データの消去について＞
ＤＥＬＥＴＥボタン２１０はユーザからの操作により、現在、液晶表示装置２０９に表示され、現在マウントされている外部記憶媒体内の画像を外部記憶媒体制御部１０６を通じ消去する。先にも述べたように、本実施の形態に係るプリンタ装置は、外部記憶媒体制御部１０６の配下に異なった３種類の外部記憶媒体に対応するスロットを有している。ここで、複数の外部記憶媒体がスロットに同時に装着された場合は、あらかじめ決められた優先順位に基づいて最優先の外部記憶媒体をマウントする。このような態様の場合には、利用者の誤認識により意図しない外部記憶媒体に対して削除を実施してしまう可能性がある。そこで本実施の形態に係るプリンタ装置では、内部記憶装置１０８に外部記憶媒体の規格形式ごとに削除ファイル退避バッファを設け、利用者の誤操作により意図しない画像ファイルの消去の可能性を減ずる仕組みを設けている。以下、その詳細について説明する。
【００３０】
図４は、内部記憶装置１０８内の削除ファイル退避バッファの様子を示した図である。図４に示す内部記憶装置１０８において、４０２、４０３、４０４は削除ファイル退避バッファであり、内部記憶装置１０８の記憶領域の一部に構築される。なお、削除ファイル退避バッファは、本発明でいう内部記憶領域の一構成例に対応するものである。
【００３１】
そして本実施の形態に係るプリンタ装置では、削除ファイル退避バッファ４０２〜４０４を外部記憶媒体の規格形式ごとにそれぞれ用意する。これは、後述する削除対象の画像ファイルの自動復元動作が、利用者に混乱をもたらす可能性を、削除対象となった外部記憶媒体との関連性を保障することにより、軽減させるためである。本実施の形態では、図４に参照されるように、４０２がＳＤ用、４０３がメモリースティック（ＭＳ）用、４０４がＣＦ用の削除ファイル退避バッファとなっている。
【００３２】
ここで図４では、プリンタ装置にＳＤカード１６１、メモリースティック１６２、ＣＦカード１６３がスロットに挿入されている状態を示している。また、先に述べたように外部記憶媒体のマウント優先順位によりシステムプログラムはＳＤカード１６１をマウントしているものとする。また、ＳＤカード１６１内において、４０６は画像ファイルであり、現在、液晶表示装置２０９には、この画像ファイル４０６に対応する画像が表示されているとする。本実施の形態では、この状態でＤＥＬＥＴＥボタン２１０の押下を検知した場合に、図４（ｂ）に示すように画像ファイル４０６がＳＤカード１６１用の削除ファイル退避バッファ４０２にコピー（複写）され、対応する画像ファイル４０９が一時記憶される。そして、その後、ＳＤカード１６１内の画像ファイル４０６を削除するようにする。
【００３３】
＜画像送り・戻し表示について＞
ここで、画像送り、戻し表示について説明する。マウントされた外部記憶媒体内に複数の画像データが格納されている場合、システムプログラムは画像送りボタン２０５の押下を検知すると、次の画像データを外部記憶媒体制御部１０６から読み出し、先に前述べた手順を経て液晶表示装置２０９に出力する。一方、システムプログラムは画像戻しボタン２０６の押下を検知したときは、画像送りボタン２０５とは逆の方向に画像を選択し同様の動作をなす。さらに、先に述べた削除ファイル退避バッファ内に画像ファイルがコピーされている場合は、削除ファイル退避バッファ内の画像も画像送りでの選択対象となるようにする。具体的には外部記憶媒体内の画像が画像送りボタン２０５で最後の画像に達すると、それ以降は現在マウントされている外部記憶媒体の規格に対応した削除ファイル退避バッファ内の画像が選択対象となるようにする。
【００３４】
この画像送り動作を、図５を用いてさらに詳しく説明する。マウント直後、外部記憶媒体内の最初の画像５０１を読み出し、前述したように液晶表示装置２０９に表示したとする。この状態においてシステムプログラムが画像送りボタン２０５の押下を検知すると、外部記憶媒体内の２番目に検出された画像５０２が表示され、以降は、画像送りボタン２０５の押下のたびに同様の操作を繰り返す。そして、外部記憶媒体内の最後の画像５０３が表示対象となった後に、さらに画像送りボタン２０５の押下を検知すると、前述したマウントした外部記憶媒体の削除ファイル退避バッファ内に最初に検出された最初の画像５０４を表示対象とするようにする。そして以降は、削除ファイル退避バッファ内の画像を画像送りボタン２０５の押下の検知の度に、次に画像５０５、さらに次はそれ以降と、順番に繰り返す。そして、表示対象の画像が削除ファイル退避バッファの最終画像５０６となった場合に、再度外部記憶媒体の最初の画像を表示対象とするようにする。すなわち、本実施の形態では、画像の表示の際、マウントした外部記憶媒体に対応する削除ファイル退避バッファに複写された画像ファイルも参照可能としている。
【００３５】
また、画像戻しボタン２０６を操作した際には、マウント直後に画像５０１が最初の表示画像とする以外は、上記動作と逆の順番で外部記憶媒体内そして、マウントした外部記憶媒体に応じた削除ファイル退避バッファの画像を選択する。
【００３６】
＜印刷枚数設定について＞
次に、印刷枚数設定ボタン２０３、２０７はユーザの操作に応じて、現在、液晶表示装置２０９に表示されている画像の印刷枚数を設定する。すなわち、システムプログラムは、印刷枚数設定ボタン２０３の押下の検出の際は印刷枚数を一枚増加し、逆に印刷枚数設定ボタン２０７を押下検出時には印刷枚数を一枚減じる。
【００３７】
＜表示した画像に対する編集について＞
ＳＴＡＭＰボタン２０８は、液晶表示装置２０９に表示されている画像に対して、スタンプ画像の重ね合わせを設定する。すなわち、システムプログラムは、ＳＴＡＭＰボタン２０８の押下を検出すると、スタンプ編集モードに移行すると同時に、主記憶装置１０３に配された表示用記憶領域を操作する。そして、図３の３０１に示すように、液晶表示装置２０９にスタンプ画像を既に表示済みの画像に対しオーバレイ表示を行う。
【００３８】
さらにスタンプ編集モード中、システムプログラムは、画像戻しボタン２０６を検出すると、表示中のスタンプ画像を左に、画像送りボタン２０５を検出すると右に、さらに印刷枚数設定ボタン２０３、２０７を検出すると上下に表示位置を移動することができる。
【００３９】
＜選択した画像の印刷について＞
プリントボタン２０４はユーザの操作に応じて、現在、液晶表示装置２０９に表示されている画像の印刷を実行する。すなわち、システムプログラムは、プリントボタン２０４の押下を検出すると、スタンプ編集モードであった場合にはこれを解除し、現在表示中の画像を、主記憶装置１０３上に印刷形式のデータに展開した後、印刷制御部１０５に印刷動作起動をかける。
【００４０】
＜削除データの自動復元動作について＞
次に本実施の形態に係るプリンタ装置の削除ファイルの自動復元動作について説明する。上記では、スタンプ編集操作ならびに印刷実行動作について説明した。ここで本実施の形態に係るプリンタ装置では、現在マウント中の外部記憶媒体に対応した削除ファイル退避バッファに画像ファイルが存在し、それをユーザが利用者の画像送り・戻し操作により液晶表示装置２０９に表示した上で、スタンプ編集操作又は印刷実行動作がされた場合に、その画像を、現在マウントしている外部記憶媒体に復元する。これは、一旦削除対象とされたファイルであっても、ユーザのスタンプ編集、印刷実行動作の実施の行為がある場合は、ユーザにとって有用なファイルである可能性を考慮したものである。この動作を図６でさらに説明する。
【００４１】
ユーザがプリント動作かスタンプ編集処理を行うと、システムプログラムは図６に示したフローチャートに従い、必要であれば削除された画像データの記憶媒体への復元を行う。
【００４２】
まずステップＳ６０１においてシステムプログラムは、現在選択されている、すなわち液晶表示装置２０９に表示されている画像が外部記憶媒体からのものか、削除退避バッファからのものであるか判定を行う。外部記憶媒体上の画像ファイルに基づく画像であった場合はステップＳ６０５に進み、スタンプ編集処理または印刷処理を実行する。一方、選択中の画像が削除ファイル退避バッファ由来の画像ファイルであった場合にはステップＳ６０２に進む。
【００４３】
ステップＳ６０２においてシステムプログラムは、対象ファイルを削除ファイル退避バッファから読み出し、ステップＳ６０３で現在マウントしている外部記憶媒体に復元し、ステップＳ６０４で選択中の削除ファイル退避バッファ中の画像ファイルを削除する。そして、その後ステップＳ６０５に進み、スタンプ編集処理または印刷処理を実行する。
【００４４】
以上、本実施の形態に係るプリンタ装置について説明した。すなわち、本実施の形態に係るプリンタ装置では、外部記憶媒体内のファイルが削除指定された場合に、このファイルを削除ファイル退避バッファに一次的に記憶しておき、この削除指定されたファイルについて印刷指示等がされた場合に、外部記憶媒体に復元する。このような構成により、ファイル削除についてのユーザの誤操作があった場合でも、容易にファイルを復元することができ、有用なファイルを保護できる。つまり、一旦削除対象とされたファイルであってもユーザにとって有用なファイルと考えられる場合は、削除対象になったものを特別な操作を経ずに復元するため、有用なファイルの保護を図ることができ、意図しないファイルの消去の可能性を減ずることができる。
【００４５】
なお、以上で説明した本発明の実施の形態においては、削除ファイル退避バッファからの復元は、印刷動作に関しては、削除ファイル退避バッファ内の画像に対し印刷指定時に行うこととした。この他の態様としては、利用者が意図しない復元動作を回避するために当該画像が一定枚数以上の印刷指定を受けた際に復元動作を実施する方法も考えられる。
【００４６】
また、以上で説明した本実施の形態においては、プリンタ装置の削除処理データの退避動作と、自動復元動作は、ユーザの設定により、無効化することも可能である。この場合は、ＤＥＬＥＴＥボタン２１０の押下による削除処理は、削除ファイル退避バッファへの退避動作は行わないようにする。
【００４７】
また、以上で説明した実施の形態においては、削除ファイル退避バッファを内部記憶装置１０８の典型的にはＮＶＲＡＭ上に確保するようにする。これに代わり、ＮＶＲＡＭを採用しないハードウエア構成であれば、主記憶装置１０３を利用することでも適用できる。特に主記憶装置１０３を利用する際は、退避ファイルを圧縮した上でコピーし、記憶領域を圧迫しないように配慮するようにする。また、圧縮した場合であっても、プリンタ装置の印画品質に影響をあたえない程度で圧縮するようにする。
【００４８】
また、本実施の形態では、本発明をプリンタ装置に適用した例を説明したが、本発明はパーソナルコンピュータなどの情報処理装置においても適用可能である。この場合は、画像ファイルに限らず、例えば文書や図形に係るファイルなどについてのファイル保護を図ることができる。
【００４９】
また、本発明の機能を実現するソフトウエアのプログラムコードを記録した記録媒体を、システムあるいは装置に供給し、そのシステムが記録媒体に格納されたプログラムコードを読み出し実行してもよい。
【００５０】
この場合、記録媒体から読み出されたプログラムコード自体が前述した実施形態の機能を実現することとなり、そのプログラムコードを記憶した記憶媒体は本発明を構成することになる。
【００５１】
プログラムコードを供給するための記憶媒体としては、例えば、光磁気ディスク、ＣＤ−ＲＯＭ、ＣＤ−Ｒ、磁気テープ、不揮発性のメモリカード、ＲＯＭ、ＤＶＤなどを用いることができる。
【００５２】
また、そのプログラムコードの指示に基づき、コンピュータ上で稼動しているＯＳなどが実際の処理の一部または全部を行い、その処理によって前述した実施例の機能が実現される場合も含まれることは言うまでもない。
【００５３】
さらに、プログラムコードの指示に基づき、その機能拡張ボード等に備わるＣＰＵなどが実際の処理の一部または全部を行い、その処理によって前述した実施形態の機能が実現される場合も含まれることは言うまでもない。
【図面の簡単な説明】
【００５４】
【図１】本発明の実施の形態に係るプリンタ装置にシステム構成図である。
【図２】本発明の実施の形態に係るプリンタ装置の操作パネルを示す図である。
【図３】本発明の実施の形態に係るプリンタ装置により編集された画像を説明するための図である。
【図４】本発明の実施の形態に係るプリンタ装置が有する、削除ファイル退避バッファの様子を示した図である。
【図５】本発明の実施の形態に係るプリンタ装置に表示された画像に対する画像送り動作を説明するための図である。
【図６】本発明の実施の形態に係るプリンタ装置による削除ファイルの復元の処理を説明するためのフローチャートである。
【符号の説明】
【００５５】
１０１  入力部材制御部
１０２  ＣＰＵ
１０３  主記憶装置
１０４  表示装置
１０５  印刷制御部
１０６  外部記憶媒体制御部
１０７  内部記憶装置フラッシュメモリ
１０８  内部記憶装置
１６１  ＳＤカード
１６２  メモリースティック
１６３  ＣＦカード
２０１  操作パネル
２０２  電源ボタン
２０３、２０７  印刷枚数設定ボタン
２０４  プリントボタン
２０５  画像送りボタン
２０６  画像戻しボタン
２０８  ＳＴＡＭＰボタン
２０９  液晶表示装置
２１０  ＤＥＬＥＴＥボタン
４０２、４０３、４０４  削除ファイル退避バッファ
【図１】
2010089362.tif 000003
【図２】
2010089362.tif 000004
【図３】
2010089362.tif 000005
【図４】
2010089362.tif 000006
【図５】
2010089362.tif 000007
【図６】
2010089362.tif 000008